(57)【特許請求の範囲】
【請求項１】
サーマルヘッドを搭載する取り付け板と、回動シャフトに軸支され、プラテンローラに係合する第１の位置と該プラテンローラとの係合が外れた第２の位置との間で回動可能であり、前記第１の位置で前記取り付け板に搭載されたサーマルヘッドを前記プラテンローラ側に押圧する押圧部材とを有する、着脱自在なサーマルヘッドを備えるプリンタ装置において、
前記取り付け板及び前記押圧部材のそれぞれは前記回動シャフトの軸に垂直な２つの側板を有し、前記取り付け板の２つの側板のそれぞれに前記回動シャフトの軸に垂直に伸びる切欠きと該軸に平行に伸びるピンとが形成され、
前記取り付け板の２つの側板に形成された切欠きは前記回動シャフトの外周面に形成された２つの環状溝にそれぞれ貫入し、前記２つのピンは前記押圧部材の２つの側板に形成されたＬ字形の切欠き内にそれぞれ挿入され、係止されると共に前記取り付け板を前記回動シャフトから離間させる方向に弾性付勢する引張りばねとを有することを特徴とする、着脱自在なサーマルヘッドを備えるプリンタ装置。
【請求項２】
前記取り付け板の２つの側板のそれぞれに、前記プラテンローラに設けられたカラーと当接することによりサーマルヘッドの位置決めを行うエッジが形成されていることを特徴とする請求項１に記載のプリンタ装置。
【発明の詳細な説明】
【０００１】
【発明の属する技術分野】
本発明は、着脱自在なサーマルヘッドを有するプリンタ装置に関する。
【０００２】
【従来の技術】
着脱自在なサーマルヘッドを有する従来のプリンタ装置の例として、図７、８、及び９に、特開平２−１２８８５４号公報に開示された装置のサーマルヘッド部分の斜視図、側面図、及び分解図をそれぞれ示す。
【０００３】
これらの図において、１０１はサーマルヘッド、１０１ａは発熱体ライン、１１１はサーマルヘッドが固定されている取り付け部材、１０２はプラテンローラ、１０３は取り付け部材１１１をプラテン方向に摺動自在に支持するサーマルヘッド支持軸、１０４はサーマルヘッドをプラテン方向に弾性付勢する圧縮ばね、１０５は、カラー（転がり軸受け）、１０６は案内板、１０６ａはカラー１０５と当接し、サーマルヘッドを位置決めする当接部、１０７はサーマルヘッド１を圧縮ばね１０８によりプラテン側に押圧する押圧部材、１０９は回動シャフト、１１０は取り付け部材１１１をサーマルヘッド支持軸１０３に締結するＥ−リング等の締結部品である。
【０００４】
取り付け部材１１１と押圧部材１０７は回動シャフト１０９に軸支され一体に回動する。サーマルヘッド１０１をプリンタ装置に装着するには、取り付け部材１１１に形成された貫通孔に支持軸１０３を通し、締結部品（Ｅ−リング）１１０で締結する。サーマルヘッド１０１をプリンタ装置から取り外す場合には、締結部品１１０を外し、取り付け部材１１１を支持軸１０３から引き抜く。
【０００５】
また、サーマルヘッド１０１の位置出しは、該サーマルヘッドの左右に発熱体ライン１０１ａと特定の位置関係を有するように取り付けられた２つの案内板１０６が左右の２つのカラー１０５にそれぞれ当接することにより行われる。
【０００６】
【発明が解決しようとする課題】
上記の従来の着脱自在なサーマルヘッドを備えるプリンタ装置において、装置の組み立ての際にサーマルヘッド取り付け部材１１１を組み込むため、あるいはサーマルヘッドの交換等のために、サーマルヘッド取り付け部材１１を装置から取り外し、再度装着するためには、締結部品１１０の支持軸１０３からの取り外し及び取り付けが必要であるが、支持軸１０３及び締結部品１１０は、アクセスが困難なプリンタ装置の奥にあり、作業性が悪く時間がかかるという問題がある。
【０００７】
また、発熱対ライン１０１ａが、サーマルヘッド１０１とプラテンローラ１０２とが接する線に一致するようにサーマルヘッド１０１を位置決めするために使用される２つの案内板１０６を、サーマルヘッド１０１の左右に精密に取り付ける必要があり、装置の組み立て又はサーマルヘッド１０１の交換作業に要する時間が長くなり、また位置決めの精度を十分なものにすることが困難であるという問題もある。
【０００８】
本発明の課題は、サーマルヘッドの着脱が容易に行えるプリンタ装置を提供することにある。
【０００９】
本発明の他の課題は、サーマルヘッドの着脱が容易であり、且つサーマルヘッドの位置決めの精度に優れたプリンタ装置を提供することにある。
【００１０】
【課題を解決するための手段】
上記課題は、サーマルヘッドを搭載する取り付け板と、回動シャフトに軸支され、プラテンローラに係合する第１の位置と該プラテンローラとの係合が外れた第２の位置との間で回動可能であり、前記第１の位置で前記取り付け板に搭載されたサーマルヘッドを前記プラテンローラ側に押圧する押圧部材とを有する、着脱自在なサーマルヘッドを備えるプリンタ装置において、前記取り付け板及び前記押圧部材のそれぞれは前記回動シャフトの軸に垂直な２つの側板を有し、前記取り付け板の２つの側板のそれぞれに前記回動シャフトの軸に垂直に伸びる切欠きと該軸に平行に伸びるピンとが形成され、前記取り付け板の２つの側板に形成された切欠きは前記回動シャフトの外周面に形成された２つの環状溝にそれぞれ貫入し、前記２つのピンは前記押圧部材の２つの側板に形成されたＬ字形の切欠きにそれぞれ挿入され、係止されると共に前記取り付け板を前記回動シャフトから離間させる方向に弾性付勢する引張りばねとを有することを特徴とする、着脱自在なサーマルヘッドを備えるプリンタ装置により解決される。
【００１２】
上記他の課題は、前記取り付け板の２つの側板のそれぞれに、前記回動シャフトに設けられたカラーと当接し、サーマルヘッドの位置決めを行うエッジを形成することにより解決される。
【００１３】
【発明の実施の形態】
図１は、本発明の着脱自在なサーマルヘッドを有するプリンタ装置の一実施形態におけるサーマルヘッド部分の斜視図である。図１において、１はサーマルヘッド、２はサーマルヘッド１を搭載する取り付け板、３はプラテンローラ、４はサーマルヘッドを圧縮ばね８によりプラテンローラ側に押圧する押圧部材、４ａは押圧部材４の側板、４ｂは側板４ａに形成された切欠き、５はカラー（転がり軸受け）、６は回動シャフト、７は取り付け板２をプラテンローラ側に引張る引張りばね、９は放熱板である。
【００１４】
図２にこの実施形態の全体構成を示す。図２において、２０は、サーマルヘッド取り付け板２と押圧部材４とを含むサーマルヘッド部、１１は記録用のロール紙、１２はインクリボン、１３は搬送ローラ、１４はピンチローラである。サーマルヘッド部２０は、回動シャフト６の周りに昇降可能であり、プラテンローラ３に係合し、プラテンローラ３上のロール紙にインクリボンを押圧・加熱し画像の転写を行う。
【００１５】
図３にサーマルヘッド部分の分解斜視図を示す。同図において２ａは取り付け板２の側板であり、該側板２ａには保持ピン２ｂ、切欠き２ｃ、及びカラー５と当接するエッジ２ｄが形成されている。また、回動シャフト６の外周面には環状の溝６ａが形成されている。
【００１６】
プリンタ装置の組み立て、あるいはサーマルヘッドの交換等のため、サーマルヘッド取り付け板２を装置内に装着するには、図４のサーマルヘッド部分の側面図に示したように、取り付け板の側板２ａに形成された切欠き２ｃを回動シャフト６に形成された溝６ａに挿入し、保持ピン２ｂを押圧部材４の側板４ａに形成されたＬ字形の切欠き４ｂ内に矢印Ａに沿って挿入する。これだけで図５に示したように、取り付け板２が押圧部材４及び回動シャフト６に係合し、取り付け板２と押圧部材４とは回動シャフト６の回りに一体に回動する。
【００１７】
また、図６に示したように、引張りばね７により、取り付け板２が前方に引張られるので、保持ピン２ｂが切欠き４ｂから抜け落ちることが防止される。従って、従来のプリンタ装置に用いられている締結部品１０は不要になり、サーマルヘッドの着脱の際に、装置の奥の部材にアクセスする必要はなくなる。
【００１８】
また、取り付け板２に一体に形成された側板２ａに形成されたエッジ２ｄがプラテンロータ３に設けられたカラー５と当接することにより、サーマルヘッドが位置決めされるので、従来のプリンタ装置において用いられている、サーマルヘッドの左右に取り付けられる案内板は不要であり、装置の組み立て、サーマルヘッドの交換作業に要する時間が短縮され、且つサーマルヘッドの位置決め精度も向上する。
【００１９】
【発明の効果】
請求項１に記載の発明によれば、プリンタ装置におけるサーマルヘッドの着脱が容易になる。
【００２０】
参考例のプリンタ装置によれば、弾性付勢によりサーマルヘッドを所定の位置に保つことができる。
【００２１】
請求項２に記載の発明によれば、サーマルヘッドを簡単な構成で精密に位置決めすることができる。
【図面の簡単な説明】
【図１】  本発明のプリンタ装置の実施形態のサーマルヘッド部分の斜視図である。
【図２】  本発明のプリンタ装置の実施形態の全体構成図である。
【図３】  本発明のプリンタ装置の実施形態のサーマルヘッド部分の分解斜視図である。
【図４】  本発明のプリンタ装置の実施形態のサーマルヘッド部分の分解側面図である。
【図５】  本発明のプリンタ装置の実施形態のサーマルヘッド部分の側断面図である。
【図６】  本発明のプリンタ装置の実施形態のサーマルヘッド部分の側断面図である。
【図７】  従来のプリンタ装置のサーマルヘッド部分の斜視図である。
【図８】  従来のプリンタ装置のサーマルヘッド部分の側面図である。
【図９】  従来のプリンタ装置のサーマルヘッド部分の分解図である。
【符号の説明】
１  サーマルヘッド、  ２  サーマルヘッド取り付け板、  ２ａ  側板、  ２ｂ  保持ピン、  ２ｃ  切欠き、  ２ｄ  エッジ、  ３  プラテンローラ、  ４押圧部材、  ４ａ  側板、  ４ｂ  切欠き、  ５  カラー、  ６  回動シャフト、  ６ａ  環状溝、  ７  引張りばね、  ８  圧縮ばね、  ９  放熱板、  １１  ロール紙、  １２  インクリボン、  １３  搬送ローラ、  １４  ピンチローラ、  ２０  サーマルヘッド部。
【図１】
0004475755.tif 000002
【図２】
0004475755.tif 000003
【図３】
0004475755.tif 000004
【図４】
0004475755.tif 000005
【図５】
0004475755.tif 000006
【図６】
0004475755.tif 000007
【図７】
0004475755.tif 000008
【図８】
0004475755.tif 000009
【図９】
0004475755.tif 000010